(57)【要約】【課題】コンロで加熱される調理容器の底部に確実にサーミスタを備える当接体が当接し、当接体がその上下動可動範囲の最も下方に位置する場合にも、当接体によって調理容器が持ち上げられて調理容器が傾いてしまう不都合が抑制されたコンロ用の温度検出装置を提供する【解決手段】コンロＡに設けた固定部に固定される固定側支持体７１に、サーミスタ７３を備える当接体７４を設けた移動側支持体７２を上下動自在に設け、当接体７４を上方向に付勢する付勢手段８１を備え、コンロＡで加熱される調理容器の底面に当接した当接体７４が、移動側支持体７２の上下動可動範囲において調理容器の上下動に追随して上下して常時調理容器の底面に当接するように構成されるコンロ用の温度検出装置で、付勢手段８１による上方向への付勢力Ｆが、移動側支持体７２の上下動可動範囲において調理容器の上下動によらず略一定の付勢力Ｆとなるように構成される。【選択図】図２
2015025611.tif 000002
【特許請求の範囲】
【請求項１】
コンロに設けた固定部に固定される固定側支持体に、サーミスタを備える当接体を設けた移動側支持体を上下動自在に設けると共に、前記当接体を上方向に付勢する付勢手段を備え、当該コンロで加熱される調理容器の底面に当接した前記当接体が、前記移動側支持体の上下動可動範囲において前記調理容器の上下動に追随して上下して常時前記調理容器の底面に当接するように構成されるコンロ用の温度検出装置であって、
前記付勢手段による前記上方向への付勢力が、前記移動側支持体の上下動可動範囲において前記調理容器の上下動によらず略一定の付勢力となるように構成される、コンロ用の温度検出装置。
【請求項２】
前記付勢手段が、前記固定側支持体と前記移動側支持体との間に設けられた定荷重ばねを用いて構成されることを特徴とする請求項１に記載のコンロ用の温度検出装置。
【請求項３】
自重または釣支された錘に作用する重力によって下方向に付勢された線状体と、
前記コンロまたは前記固定側支持体に軸支され、前記自重または釣支された錘に作用する重力によって下方向に生じる付勢力を回転力に変換する回転体と、
前記コンロまたは前記固定側支持体に軸支され、前記回転体の回転力によって回転駆動されるピニオンギアと、
前記ピニオンギアの回転運動を直線運動に変換するラックギアとを具備し、
前記線状体の下降によって前記ラックギアが上昇し、このラックギアの上昇によって前記移動側支持体が上昇する、移動側支持体上昇機構が構成され、
前記付勢手段が、前記移動側支持体上昇機構によって構成されることを特徴とする請求項１に記載のコンロ用の温度検出装置。
【発明の詳細な説明】
【技術分野】
【０００１】
本発明は、コンロに設けた固定部に固定される固定側支持体に、サーミスタを備える当接体を設けた移動側支持体を上下動自在に設けると共に、前記当接体を上方向に付勢する付勢手段を備え、当該コンロで加熱される調理容器の底面に当接した前記当接体が、前記移動側支持体の上下動可動範囲において前記調理容器の上下動に追随して上下して常時前記調理容器の底面に当接するように構成されるコンロ用の温度検出装置に関する。
【背景技術】
【０００２】
かかるコンロ用の温度検出装置は、環状のバーナ（加熱手段）を備えたコンロにおいて、その加熱手段で加熱される調理容器の底部の温度を検出するために用いるものであり、例えば五徳に載置される調理容器の底部に当接体を当接させることが可能なように、支持筒を環状の加熱手段の内部に配設して、温度検出装置にて当接体の温度を調理容器の温度として検出するようになっている。
【０００３】
このようなコンロ用の温度検出装置においては、当接体を上方向に付勢する付勢手段としてコイルばねが用いられることが一般的である（例えば、特許文献１参照）。
【０００４】
特許文献１のコンロ用の温度検出装置は、被加熱物の底部に当接させる当接体を上端部に支持する円筒状の筒状支持体、その筒状支持体を上下動自在に支持する基台、当接体の温度を検出する温度検出手段としてのサーミスタ、及び、筒状支持体を上向きに復帰付勢するコイルバネ等を備えて構成してある。
【先行技術文献】
【特許文献】
【０００５】
【特許文献１】特開２００５−３３１２０５号公報
【発明の概要】
【発明が解決しようとする課題】
【０００６】
このようなコンロ用の温度検出装置は、例えば五徳に載置される調理容器の底部に当接体を当接させることで調理容器の温度を検出するものであるから、調理容器の上下動に追随して、サーミスタを備える当接体が上下して常時前記調理容器の底面に適切に当接する必要があるため、当接体を上方向に付勢するコイルばねとしては、当接体がその上下動可動範囲の最も上方に位置する場合にも当接体が確実に調理容器の底部に当接するような自由長とばね定数とを有するコイルばねが用いられることになる。
【０００７】
しかしながら、特許文献１のコンロ用の温度検出装置では、当接体がその上下動可動範囲の最も上方に位置する場合と、当接体がその上下動可動範囲の最も下方に位置する場合とで比較した場合、当接体が下方に位置するほどコイルばねによる付勢力が大きくなるものであるから、当接体がその上下動可動範囲の最も上方に位置する場合にも当接体が確実に調理容器の底部に当接するようなばね定数のコイルばねを用いたときには、当接体がその上下動可動範囲の最も下方に位置する場合にはコイルばねによる付勢力が大きくなりすぎて、たとえば、アルミニウム製で小径軽量の雪平鍋などを調理容器として用いた場合に、当接体によって調理容器が持ち上げられ、調理容器が五徳上の適切位置に載置されず調理容器が傾いてしまう不都合が生じるおそれがある。
【０００８】
これに対し、当接体がその上下動可動範囲の最も下方に位置する場合にはコイルばねによる付勢力が大きくなりすぎないようなばね定数のコイルばねを用いたときには、当接体によって調理容器が持ち上げられて調理容器が五徳上の適切位置に載置されず調理容器が傾いてしまう、という不都合は生じないものの、当接体がその上下動可動範囲の最も上方近傍に位置する場合に、コイルばねによる付勢力が小さすぎて、当接体がその上下動可動範囲の最も上方に戻ることができず、当接体その上下動可動範囲の最も上方に位置する場合に当接体が調理容器の底部に当接することができず、調理容器底部の温度を適切に検出できない不都合が生じるおそれがある。
【０００９】
本発明は、かかる点に着目してなされたものであり、その目的は、当接体の上下動可動範囲において、当接体が確実に当該コンロで加熱される調理容器の底部に当接し、しかも、当接体がその上下動可動範囲の最も下方に位置する場合にも、当接体によって調理容器が持ち上げられて調理容器が傾いてしまう不都合が抑制されたコンロ用の温度検出装置を提供する点にある。
【課題を解決するための手段】
【００１０】
この目的を達成するために、本発明によるコンロ用の温度検出装置は、コンロに設けた固定部に固定される固定側支持体に、サーミスタを備える当接体を設けた移動側支持体を上下動自在に設けると共に、前記当接体を上方向に付勢する付勢手段を備え、当該コンロで加熱される調理容器の底面に当接した前記当接体が、前記移動側支持体の上下動可動範囲において前記調理容器の上下動に追随して上下して常時前記調理容器の底面に当接するように構成され、請求項１の発明は、前記付勢手段による前記上方向への付勢力が、前記移動側支持体の上下動可動範囲において前記調理容器の上下動によらず略一定の付勢力となるように構成される点を特徴とする。
【００１１】
請求項１に記載の発明によれば、付勢手段による上方向への付勢力が、移動側支持体の上下動可動範囲において当該コンロによって加熱される調理容器の上下動によらず略一定の付勢力となるように構成されるので、当接体の上下動可動範囲において、当該コンロで加熱される調理容器の底部に当接体が確実に当接し、しかも、当接体がその上下動可動範囲の最も下方に位置する場合にも、当接体によって調理容器が持ち上げられて調理容器が傾いてしまう不都合が抑制できる。
【００１２】
請求項２のコンロ用の温度検出装置は、請求項１に記載のコンロ用の温度検出装置において、前記付勢手段が、前記固定側支持体と前記移動側支持体との間に設けられた定荷重ばねを用いて構成される点を特徴とする。
【００１３】
請求項２に記載の発明によれば、従来のコンロ用の温度検出装置において、固定側支持体と移動側支持体との間に付勢手段として一般的に設けられるコイルばねに代えて定荷重ばねを用いて構成することで、請求項１のコンロ用の温度検出装置が簡便に構成できる。
【００１４】
つまり、定荷重ばねはコイルばねのようなばねと比較して引き出される距離にかかわらず略一定の出力（引っ張り荷重）を有するものである。このため、コンロ用の温度検出装置において固定側支持体と移動側支持体との間に付勢手段として一般的に設けられるコイルばねに代えて定荷重ばねを用いて構成することで、請求項１のコンロ用の温度検出装置が簡便に構成できるものである。
【００１５】
なお、一般的には、固定側支持体と移動側支持体との間に備える付勢手段としてのコイルばねは、移動側支持体の下方への移動に伴って、圧縮されるように構成されるコイルばねであり、このコイルばねの圧縮によって生じるコイルばねの反発力を、移動側支持体を上方向に付勢する付勢力として用いるもので、コイルばねをいわゆる圧縮ばねとして用いるものであり、一般的に知られている定荷重ばねはいわゆる引っ張りばねとして用いるものであるため、従来のコンロ用の温度検出装置におけるコイルばねに代えて定荷重ばねを用いてコンロ用の温度検出装置を構成するためには、圧縮ばねに代えて引っ張りばねを用いてコンロ用の温度検出装置を構成することになる。
【００１６】
説明を加えると、圧縮ばねに代えて引っ張りばねを用いる点に関して、さらに具体的には、移動側支持体の下方への移動に伴って、固定側支持体と移動側支持体との間に備える付勢手段としての定荷重ばねに引っ張り力が印加されて、この定荷重ばねが元に戻ろうとして定荷重ばねに生じる張力を、移動側支持体を上方向に付勢する付勢力として用いることになる。
【００１７】
請求項３に記載の発明によるコンロ用の温度検出装置は、請求項１に記載のコンロ用の温度検出装置において、自重または釣支された錘に作用する重力によって下方向に付勢された線状体と、前記コンロまたは前記固定側支持体に軸支され、前記自重または釣支された錘に作用する重力によって下方向に生じる付勢力を回転力に変換する回転体と、前記コンロまたは前記固定側支持体に軸支され、前記回転体の回転力によって回転駆動されるピニオンギアと、前記ピニオンギアの回転運動を直線運動に変換するラックギアとを具備し、前記線状体の下降によって前記ラックギアが上昇し、このラックギアの上昇によって前記移動側支持体が上昇する、移動側支持体上昇機構が構成され、前記付勢手段が、前記移動側支持体上昇機構によって構成される点を特徴とする。
【００１８】
請求項３に記載の発明によれば、自重または釣支された錘に作用する重力によって下方向に付勢された線状体と、前記コンロまたは前記固定側支持体に軸支され、前記自重または釣支された錘に作用する重力によって下方向に生じる付勢力を回転力に変換する回転体と、前記コンロまたは前記固定側支持体に軸支され、前記回転体の回転力によって回転駆動されるピニオンギアと、前記ピニオンギアの回転運動を直線運動に変換するラックギアとを具備し、前記線状体の下降によって前記ラックギアが上昇し、このラックギアの上昇によって前記移動側支持体が上昇する、移動側支持体上昇機構を構成し、移動側支持体を上方向に付勢する付勢手段が、移動側支持体上昇機構によって構成されるものであり、付勢手段による付勢力が線状体に釣支される錘に作用する重力によるものであるので、付勢力が移動側支持体の上下方向の位置の差に依存しないものであり、請求項１のコンロ用の温度検出装置が、ありふれた構成部品によって簡便に構成できる。
【発明の効果】
【００１９】
本発明のうち請求項１に記載の発明によれば、当接体の上下動可動範囲において、当該コンロで加熱される調理容器の底部に当接体が確実に当接し、しかも、当接体がその上下動可動範囲の最も下方に位置する場合にも、当接体によって調理容器が持ち上げられて調理容器が傾いてしまう不都合が抑制できる。
【００２０】
請求項２に記載の発明によれば、固定側支持体と移動側支持体との間に付勢手段として一般的に設けられるコイルばねに代えて定荷重ばねを用いて構成することで、請求項１のコンロ用の温度検出装置が簡便に構成できる。
【００２１】
請求項３に記載の発明によれば、請求項１のコンロ用の温度検出装置が、ありふれた構成部品によって簡便に構成できる。
【図面の簡単な説明】
【００２２】
【図１】本発明のコンロ用の温度検出装置を備えるガステーブルコンロを示す斜視図
【図２】本発明のコンロ用の温度検出装置の第一実施形態の、移動側支持体がその上下動可動範囲における最も上方に位置する場合を示す側断面図
【図３】本発明のコンロ用の温度検出装置の第一実施形態の、移動側支持体がその上下動可動範囲における最も下方に位置する場合を示す側断面図
【図４】本発明のコンロ用の温度検出装置の第二実施形態の、移動側支持体がその上下動可動範囲における最も上方に位置する場合を示す側断面図
【図５】本発明のコンロ用の温度検出装置の第二実施形態の、移動側支持体がその上下動可動範囲における最も下方に位置する場合を示す側断面図
【図６】従来のコンロ用の温度検出装置の、移動側支持体がその上下動可動範囲における最も上方に位置する場合を例示する側断面図
【図７】従来のコンロ用の温度検出装置の、移動側支持体がその上下動可動範囲における最も下方に位置する場合を例示する側断面図
【発明を実施するための形態】
【００２３】
本発明にかかるコンロ用の温度検出装置の実施形態について、図面に基づいて説明する。
本発明にかかるコンロ用の温度検出装置を備えるコンロとしての卓上設置式のガステーブルコンロＡは、図１に示すようにガスコンロ本体０１の上面がトッププレート０２で覆われており、円筒状の外形を有するブンゼン式の左バーナ（コンロバーナ）３１および右バーナ（コンロバーナ）３２の２口のガスバーナを備えており、トッププレート０２に形成したバーナ用開口３４を介して、夫々のガスバーナの外周に形成された炎孔部３３をトッププレート０２の上方に突出させている。
【００２４】
ガステーブルコンロＡにおいて、ガスコンロ本体０１の前の側面０７に設けた前面パネル４０には、左バーナ（コンロバーナ）３１の点消火操作を行うための左点消火操作部４１および右バーナ（コンロバーナ）３２の点消火操作を行うための右点消火操作部４２が設けられており、ガステーブルコンロＡ内には、左点消火操作部４１および右点消火操作部４２の操作に基づいて、図示しないガスバルブの開閉および図示しないイグナイタの発停により左バーナ（コンロバーナ）３１および右バーナ（コンロバーナ）３２の点消火の制御を行うように構成されている。
【００２５】
図１に示すように、左バーナ（コンロバーナ）３１および右バーナ（コンロバーナ）３２の外周には、ガステーブルコンロＡによって加熱される調理容器を載置する五徳０５が夫々配設され、左バーナ（コンロバーナ）３１および右バーナ（コンロバーナ）３２の中心に設けた左センサ用開口部５１、右センサ用開口部５２を下から上方向に貫通して、左センサ（温度検出装置）６１、右センサ（温度検出装置）６２が配設されている。
【００２６】
上述のように、ガステーブルコンロＡには、ガステーブルコンロＡによって加熱される調理容器の温度を検出する温度検出装置として、左センサ（温度検出装置）６１および右センサ（温度検出装置）６２を備えるものであるが、左センサ（温度検出装置）６１と右センサ（温度検出装置）６２とは同様に構成されるので、以下の温度検出装置に関する説明においては、左センサ（温度検出装置）６１についての説明を行い、特に右センサ（温度検出装置）６２についての説明を要する場合を除き、右センサ（温度検出装置）６２についての説明は省略する。
【００２７】
第一実施形態では、図２に示すように、左センサ（温度検出装置）６１は、円筒状の固定側支持体７１を備え、固定側支持体７１はガスコンロ本体０１内の固定部（図示せず）に固定される。サーミスタ７３を備える当接体７４をその上端に設けた円筒状の移動側支持体７２が、固定側支持体７１内に挿通されて固定側支持体７１に対して上下にスライド移動自在に設けられている。また、定荷重ばね７５が巻き取られるドラム７６が移動側支持体７２の下端に回動自在に取り付けられていると共に、ドラム７６から引き出される定荷重ばね７５の先端７７が固定側支持体７１にねじによって止着されている。
【００２８】
移動側支持体７２がその上下動可動範囲における最も上方に位置する図２の状態から、当接体７４を下方に移動させると、定荷重ばね７５がドラム７６から引き出され、定荷重ばね７５がドラム７６に巻き戻ろうとするが、定荷重ばね７５の先端７７が固定側支持体７１に止着されているため定荷重ばね７５の先端７７は移動することが出来ず定荷重ばね７５がドラム７６に巻き戻ろうとする力によってドラム７６を上方向に付勢する付勢力Ｆが生じ、移動側支持体７２を上方向に付勢力Ｆによって当接体７４が上方向に付勢される。つまり、固定側支持体７１と移動側支持体７２との間に設けられた定荷重ばね７５が、当接体７４を上方向にむけて付勢する付勢手段８１を構成する。
【００２９】
そして、定荷重ばね７５がドラム７６に巻き戻ろうとする力は定荷重ばね７５のドラム７６からの引き出し長さによらず略一定であるため、移動側支持体７２がその上下動可動範囲における最も上方に位置する図２の状態から、移動側支持体７２がその上下動可動範囲における最も下方に位置する図３の状態となるまで、ドラム７６を上方向に付勢する付勢力Ｆは略一定であり、付勢手段８１による付勢力Ｆは、移動側支持体７２の上下動可動範囲において調理容器の上下動によらず略一定となる。なお、移動側支持体７２がその上下動可動範囲における最も上方に位置する図２の状態では、当接体７４の外周から垂下形成された外筒７８の下端に具備する折り曲げ部８２の上面が、固定側支持体７１の上端に形成された折り曲げ部８０の下端面側の固定側支持体７１に止着され、外筒７８に対して上下にスライド移動自在に構成されるワッシャ７９の下面と当接することで、移動側支持体７２の図２以上の上方向の移動が規制される。
【００３０】
したがって、ガステーブルコンロＡによって加熱される調理容器の上下動に追随して当接体７４が下方に押し下げられても、付勢手段８１による当接体７４を上方向に付勢する付勢力Ｆは、移動側支持体７２の上下動可動範囲において調理容器の上下動によらず略一定の付勢力となり、当接体７４がその上下動可動範囲の最も下方に位置する場合にも、当接体７４によって調理容器が持ち上げられて調理容器が傾いてしまう不都合が抑制される。
【００３１】
第二実施形態では、図４に示すように、上述の第一実施形態と同様に、左センサ（温度検出装置）６１は、円筒状の固定側支持体７１を備え、固定側支持体７１はガスコンロ本体０１内の固定部（図示せず）に固定される。サーミスタ７３を備える当接体７４をその上端に設けた円筒状の移動側支持体７２が、固定側支持体７１内に挿通されて固定側支持体７１に対して上下にスライド移動自在に設けられているが、定荷重ばね７５やドラム７６は具備せず、以下に示すように付勢手段８１として移動側支持体上昇機構８８を備える。
【００３２】
第二実施形態では、図４に示すように、その一端から錘８３が垂直方向に釣支されて、例えば合成樹脂製で可とう性を有するワイヤ（線状体）８４と、錘８３の自重（重力により生じる付勢力）によってワイヤ（線状体）８４に下方向に生じる張力を回転力に変換するガスコンロ本体０１に軸支されたプーリー（回転体）８５と、ガスコンロ本体０１に軸支され、プーリー（回転体）８５の回転力によって回転駆動されるピニオンギア８６と、ピニオンギア８６の回転運動を直線運動に変換する、移動側支持体７２に止着されたラックギア８７とを具備する。なお、本実施形態では、プーリー（回転体）８５およびピニオンギア８６がガスコンロ本体０１に軸支されているが、プーリー（回転体）８５およびピニオンギア８６の両方またはいずれか一方が固定側支持体７１に軸支されるように構成しても良い。
【００３３】
そして、錘８３の重力による下降に伴うワイヤ（線状体）８４の下降によってラックギア８７が上昇し、ラックギア８７の上昇によって移動側支持体７２が上昇することになり、錘８３の重力によって下降するワイヤ（線状体）８４とプーリー（回転体）８５と、ピニオンギア８６とラックギア８７とによって移動側支持体上昇機構８８が構成され、移動側支持体上昇機構８８によって付勢手段８１が構成される。
【００３４】
移動側支持体７２がその上下動可動範囲における最も上方に位置する図４の状態から、当接体７４を下方に移動させると、ラックギア８７の下方への移動に伴いピニオンギア８６が回転し錘８３が釣支されたワイヤ（線状体）８４を巻き取る方向に回動する。そして、ワイヤ（線状体）８４がプーリー（回転体）８５に巻き取られるが、錘８３に作用する重力によってワイヤ（線状体）８４が下方向に付勢されるため、ラックギア８７を上方向に向けて付勢する方向にプーリー（回転体）８５に回転力が作用する。つまり、錘８３に作用する重力によって移動側支持体７２を上方向に付勢力Ｆによって当接体７４が上方向に付勢される。つまり、移動側支持体上昇機構８８によって付勢手段８１が構成される。
【００３５】
そして、錘８３に作用する重力は移動側支持体７２の上下位置によらず略一定であるため、移動側支持体７２がその上下動可動範囲における最も上方に位置する図４の状態から、移動側支持体７２がその上下動可動範囲における最も下方に位置する図５の状態となるまで、ラックギア８７を上方向に向けて付勢する付勢力Ｆは略一定であり、付勢手段８１による付勢力Ｆは、移動側支持体７２の上下動可動範囲において調理容器の上下動によらず略一定となる。なお、移動側支持体７２がその上下動可動範囲における最も上方に位置する図４の状態では、当接体７４の外周から垂下形成された外筒７８の下端に具備する折り曲げ部８２の上面が、固定側支持体７１の上端に形成された折り曲げ部８０の下端面側の固定側支持体７１に止着され、外筒７８に対して上下にスライド移動自在に構成されるワッシャ７９の下面と当接することで、移動側支持体７２の図２以上の上方向の移動が規制される点については、第一実施形態と同様である。
【００３６】
したがって、第二実施形態においても、ガステーブルコンロＡによって加熱される調理容器の上下動に追随して当接体７４が下方に押し下げられても、付勢手段８１による当接体７４を上方向に付勢する付勢力Ｆは、移動側支持体７２の上下動可動範囲において調理容器の上下動によらず略一定の付勢力となり、当接体７４がその上下動可動範囲の最も下方に位置する場合にも、当接体７４によって調理容器が持ち上げられて調理容器が傾いてしまう不都合が抑制される。
【００３７】
これに対し、従来のコンロ用温度検出装置では、図６、図７に示すように、当接体７４を設けた移動側支持体７２と固定側支持体７１との間に設けたコイルばね９１によって移動側支持体７２を上方向に付勢するものであるから、その上下動可動範囲における最も上方に位置する図６の状態から、移動側支持体７２がその上下動可動範囲における最も下方に位置する図７の状態に向けて移動側支持体７２が移動する距離に対して、移動側支持体７２を上方向に付勢する付勢力が直線的に増加するものであるから、当接体７４がその上下動可動範囲の最も上方に位置する図６の場合にも当接体７４が確実に調理容器の底部に当接するようなばね定数のコイルばね９１を用いたときには、当接体７４がその上下動可動範囲の最も下方に位置する図７の場合にはコイルばね９１による付勢力が大きくなりすぎて、たとえば、アルミ製で小径の軽量の雪平鍋を調理容器として用いた場合に、当接体７４によって調理容器が持ち上げられ、調理容器が五徳０５上の適切位置に載置されず調理容器が傾いてしまう不都合が生じるおそれがある。
〔別実施形態〕
【００３８】
以下、別実施形態について列挙する。
（１）上記実施形態では、本発明によるコンロ用温度検出装置をガステーブルコンロＡに適用した場合を例示したが、本発明は、ガスドロップインコンロや電気コンロにも適用可能である。
（２）上記第一実施形態では、定荷重ばね７５の先端７７を固定側支持体７１に止着し、ドラム７６を移動側支持体７２に止着する場合を示したが、定荷重ばね７５の先端７７を移動側支持体７２に止着し、ドラム７６を固定側支持体７１に止着してもよい。
（３）上記第二実施形態では、回転体としてプーリー８５を用い線状体としてワイヤ８４を用いて構成したが、回転体としてプーリー８５に代えて第２のピニオンギアを用い、線状体としてワイヤ８４に代えて第２のラックギアを用い錘の下降に伴い、第２のラックギアが下降して第２のピニオンギアを回転させてピニオンギア８７の回転力を得るように構成してもよい。なおこの場合、錘８３は備えず、第２のラックギアの自重によって第２のラックギアを下方向に付勢するように構成してもよい。
（４）上記第二実施形態において、ワイヤ（線状体）８４および錘８３およびプーリー（回転体）８５を備えず、ステッピングモータ等のモータの回転力によってピニオンギア８６の回転力を得て、当接体７４を上方向に付勢する付勢力を得るように構成してもよい。
（５）上記第二実施形態において、ワイヤ（線状体）８４および錘８３およびプーリー（回転体）８５およびピニオンギア８６およびを備えず、ラックギア８７を備えず、ラックギア８７に代えて、多数の突起を上下方向に配設した磁性体からなる棒状体を移動側支持体７２の上下方向に沿って配設し、上記多数の突起を磁極としてこの多数の磁極に対して磁気的な吸引力を生じせしめる磁界発生部を上記多数の突起に沿って配設し、上記磁界発生部における磁界を適宜切り替えることで前記棒状体を上方向に付勢して、移動側支持体７２を上方向に付勢する付勢力であって、移動側支持体７２の上下動可動範囲において調理容器の上下動によらず略一定の付勢力を得るように構成してもよい。
【符号の説明】
【００３９】
Ａ    ガステーブルコンロ
０１  ガスコンロ本体
０２  トッププレート
０５  五徳
０７  前の側面
３１  左バーナ（コンロバーナ）
３２  右バーナ（コンロバーナ）
３３  炎孔部
３４  バーナ用開口
４０  前面パネル
４１  左点消火操作部
４２  右点消火操作部
５１  左センサ用開口部
５２  右センサ用開口部
６１  左センサ（温度検出装置）
６２  右センサ（温度検出装置）
７１  固定側支持体
７２  移動側支持体
７３  サーミスタ
７４  当接体
７５  定荷重ばね
７６  ドラム
７７  定荷重ばねの先端
７８  外筒
７９  ワッシャ
８０  固定側支持体の上端に形成された折り曲げ部
８１  付勢手段
８２  外筒の下端に具備する折り曲げ部
８３  錘
８４  ワイヤ（線状体）
８５  プーリー（回転体）
８６  ピニオンギア
８７  ラックギア
８８  移動側支持体上昇機構
９１  コイルばね
Ｆ    付勢力
【図１】
2015025611.tif 000003
【図２】
2015025611.tif 000004
【図３】
2015025611.tif 000005
【図４】
2015025611.tif 000006
【図５】
2015025611.tif 000007
【図６】
2015025611.tif 000008
【図７】
2015025611.tif 000009